(57)【要約】【課題】  ２色カラー印刷において、読み取ったフルカラー原稿の画像データを２色カラー印刷用の画像データに変換する。画像データの変換の一例として、ＲＧＢ信号の無彩色信号値はブラック色の濃度信号に、ＲＧＢ信号の有彩色信号値はブラック色以外のユーザが指定した任意の色の濃度信号に変換する。有彩色の濃度変換において、例えばＲＧＢ信号で、赤色の描画オブジェクトと、暗い緑色の描画オブジェクトを濃度信号に変換すると、近似した濃度信号値に変換される場合がある。このような場合、２つの描画オブジェクトが重なっていると、描画オブジェクトの輪郭部分が判別できない。その為、文字オブジェクトが図形オブジェクトの上に重なっていると、文字を判読する事が困難であった。【解決手段】  入力されたフルカラーの画像データを２色印刷する際に、入力画像データの描画オブジェクトの情報が有彩色の場合は、描画オブジェクトの種類ごとに指定された色（２色）の配分を変えて２色印刷を行う。【選択図】  図１
2013121090.tif 000002
【特許請求の範囲】
【請求項１】
２色印刷が可能な画像処理装置において、
画像データを取得する手段（１５１、Ｓ１２０４）と、
２色カラー印刷の色味を選択する手段（１３０、図５、Ｓ１３０５）と、
前記画像データの像域情報を生成する手段（４０１、図７）と、
前記画像データを前記像域情報を使用して２色データを生成する手段（４０６、図１０（ｂ）、図１５）と、
を有することを特徴とする画像処理装置。
【請求項２】
前記像域情報は、描画オブジェクトの色情報として有彩色か無彩色の情報（図７）を含むことと、
前記像域情報は、描画オブジェクトの種類の情報（図７）を含むことと、
を有することを特徴とする請求項１に記載の画像処理装置。
【請求項３】
前記２色データ生成手段は、操作部の設定（６０１、６０３、図１０（ｂ）、Ｓ１５０５）に基づき、描画オブジェクトの種類ごとに異なった２色データを生成することと、
を特徴とする請求項１に記載の画像処理装置。
【請求項４】
前記２色データ生成手段は、操作部の設定（６０２、６０４、図１０（ｂ）、Ｓ１５０５）に基づき、２色データの配分を調整することと、
を特徴とする請求項１に記載の画像処理装置。
【発明の詳細な説明】
【技術分野】
【０００１】
本発明は２色印刷が可能な画像処理を行う画像処理方法及び画像処理装置、その制御方法及びプログラムに関するものである。
【背景技術】
【０００２】
デジタルカラー複合機などの画像処理装置では、スキャナユニットから入力された画像データをユーザが指定した１つの指定色（通常は、カラー色）と黒色のみで印刷する機能、即ち、２色カラーコピー機能を有するものがある。
【０００３】
この種の画像処理装置では、入力した画像データに対して無彩色判定を行い、無彩色であると判定された領域（無彩色領域）を黒色で印刷し、有彩色領域（無彩色領域以外の領域）を指定色で印刷する処理を行っている（例えば、特許文献１等参照）。
【０００４】
２色カラーコピー機能によって、目立たせたい色を指定色（例えばマゼンタ色）で印刷し、それ以外の色をブラック色で印刷することができ、フルカラー印刷に比べてトナーの消費量を抑えることができる。
【０００５】
図９は、２色カラーコピー出力の一例を示したものである。図９において９０１はフルカラー原稿、９０２は画像処理装置、９０３はフルカラー原稿９０１をフルカラーコピー出力した際の出力画像、９０４はフルカラー原稿９０１を２色カラーコピー出力した際の出力画像の一例である。カラー原稿９０１は、黒色の文字列（“黒文字”）と、緑色の文字列（“色文字”）、そして文字列の背景として赤色の図形９０１１と、水色の図形９０１２から構成されている。
【０００６】
このフルカラー原稿をフルカラーコピー出力すると画像処理装置が有する４色のトナー（シアン色、マゼンタ色、イエロー色、ブラック色）を用いてカラー原稿９０１と同じ色味でフルカラーコピー出力が行われる。又、マゼンタとブラックの２色カラーコピーで出力されると、無彩色である黒色の文字列はブラック色トナーで、有彩色である黒以外の文字列と図形部はマゼンタ色トナーで出力される。
【０００７】
無彩色と有彩色の判定については、スキャナユニットから入力された画像データの信号値、たとえばＲＧＢ形式の信号がＲ＝Ｇ＝Ｂの画素は無彩色と判定、それ以外の画素は有彩色と判定する。なお、無彩色の判定についてはＲとＧ、ＧとＢ、ＲとＢが等しいか否かの比較に閾値を持たせる方法もある。例えば閾値を５とした場合は、ＲＧＢ＝２５５，２５３，２５１の画素であっても無彩色として判定される。
【０００８】
また、画像データ内の描画オブジェクトの種類情報、例えば「イメージオブジェクト」、「グラフィックスオブジェクト」、「文字オブジェクト」の種類毎に異なった閾値を設定する方法もある。（例えば、特許文献２等参照）。
【先行技術文献】
【特許文献】
【０００９】
【特許文献１】特開２００７−９７１７１号公報
【特許文献２】特開２００９−２２５４５１号公報
【発明の概要】
【発明が解決しようとする課題】
【００１０】
しかしながら上記従来例において、以下に示す問題点がある。
【００１１】
例えば、スキャナユニットから入力されたフルカラー原稿８０１の画像データのＲＧＢ信号値が、黒色の文字列がＲＧＢ＝０，０，０、緑色の文字列がＲＧＢ＝０，１２３，４６、赤色の図形部がＲＧＢ＝２５５，０，０、水色の図形部がＲＧＢ＝０，２５５，２５５であったとする。このフルカラー原稿の有彩色判定された部分は例えば（式１）により輝度信号値に変換された後で、（式２）により濃度信号値に変換される。
【００１２】
この濃度信号値に注目すると、緑色の文字列は濃度信号値＝１７７、赤色の図形部は濃度信号値＝１７８となり、何れも有彩色判定される描画オブジェクトなのでマゼンタ色トナーで出力される。その結果、出力画像のイメージ８０４で示すように濃度信号が近似している赤色の図形部９０４１の上にあった緑色の文字列は判読する事が出来なくなる。
【００１３】
特許文献２によれば「文字オブジェクト」の無彩色判定閾値を大きくする事で、文字オブジェクトを無彩色として判定しブラック色トナーで印字する。その場合、緑色の文字列は読み取る事が可能となるが、有彩色の文字全てについて無彩色の文字と同じ色のトナーで印字される為、例えば黒色の文字と赤色の文字で配色されたフルカラー原稿を２色カラーコピーした時に、赤色の文字が目立たなくなる。
【００１４】
本発明は、上述の点に鑑みてなされたものであり、２色カラーモードで印刷を行う事ができる画像処理装置において、有彩色の文字は有彩色のトナーを用いる２色カラーモードを有した画像処理装置を提供することを目的とする。
【００１５】
（式１）・・・    輝度信号値     ＝    （０．２９９×Ｒ信号値）
＋    （０．５８７×Ｇ信号値）
＋    （０．１１４×Ｂ信号値）
（式２）・・・    濃度信号値     ＝  ２５５  −  輝度信号値
【課題を解決するための手段】
【００１６】
以上の点に鑑み、本発明によれば以下の手段を講ずることにより上記課題を解消するものである。
画像データを取得する手段（１５１、Ｓ１２０４）と、２色カラー印刷の色味を選択する手段（１３０、図５、Ｓ１３０５）と、前記画像データの像域情報を生成する手段（４０１、図７）と、前記画像データを前記像域情報を使用して２色データを生成する手段（４０６、図１０（ｂ）、図１５）と、を有する事を特徴とする画像形成装置およびその制御方法。
【発明の効果】
【００１７】
以上説明したように本発明によれば、フルカラー原稿を２色カラーコピーする場合であっても、文字オブジェクトやラインオブジェクトが背景の描画オブジェクトと同じ色で印字される事の無い２色カラーコピー印刷を得ることができる。
【図面の簡単な説明】
【００１８】
【図１】本発明の一実施形態としての典型的な画像形成装置のブロック図
【図２】本発明の一実施形態としての典型的な画像形成装置の概略構成図
【図３】本発明の一実施形態としての制御装置部のブロック図
【図４】本発明の一実施形態としての出力用の画像処理部を示すブロック図
【図５】本発明の一実施形態としての２色カラーモード設定時の操作部表示の一例
【図６】本発明の一実施形態としての埋没防止機能設定時の操作部表示の一例
【図７】本発明の一実施形態としての画像データの像域情報を示す一例
【図８】本発明の一実施形態としての入力用の画像処理部を示すブロック図
【図９】２色カラー出力の一例
【図１０（ａ）】本発明の一実施形態としてのフルカラー出力時のγ補正部を示す図
【図１０（ｂ）】本発明の一実施形態としての２色カラー出力時のγ補正部を示す図
【図１１】本発明の一実施形態としての出力マスキング部のマトリクス演算の一例
【図１２】コピー印刷処理のフローチャート
【図１３】出力画像処理のフローチャート
【図１４】フルカラー印刷処理時のγ補正処理のフローチャート
【図１５】２色カラー印刷処理時のγ補正処理のフローチャート
【発明を実施するための形態】
【００１９】
以下、本発明を実施するための最良の形態について図面を用いて説明する。
【００２０】
［実施例１］
本発明に関わる画像形成装置の一実施形態について図面を用いて説明する。なお、本発明はこの実施例に限るものではない。
【００２１】
＜画像形成装置の全体構成（図１）＞
図１は、本発明の実施例に関わる画像形成装置１００の全体構成である。
【００２２】
リーダー装置（リーダー部）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット（ＤＦユニット）２５０とで構成される。ＤＦユニット２５０は、オプションユニットで必ず必要とするものではない。
【００２３】
プリンタ装置（プリンタ部）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０である。
【００２４】
また、プリンタ部３００には、プリンタ部で出力された記録紙をスタック機能、シフト機能を有する排紙ユニット３３０が接続される。
【００２５】
制御装置（コントローラ部）１１０は、リーダー部２００、プリンタ部３００と電気的に接続され、さらにネットワーク４００を介して、コンピュータ１０１と接続されている。また、制御装置１１０は、リーダー部２００を制御して、原稿の画像データを読み込み、プリンタ部３００を制御して画像データを記録媒体に出力してコピー機能を提供する。
また、リーダー部２００から読み取った画像データを、コードデータに変換し、ネットワーク４００を介してコンピュータへ送信するスキャナ機能。コンピュータからネットワーク４００を介して受信したコードデータを画像データに変換し、プリンタ部３００に出力するプリンタ機能を提供する。
【００２６】
操作部１３０は、制御装置１１０に接続され、液晶タッチパネルで構成され、画像形成装置を操作するためのユーザＩ／Ｆを提供する。
【００２７】
図５は、２色カラー出力時の操作部の例である。５０１、５０２、５０３、５０４、５０５、５０６はフルカラー画像を任意の２色で出力する際の色味を選択する色味設定キー。５０１はブラック＋シアンで２色カラー出力を行う際に選択する。同様にして、５０２はブラック＋マゼンタ、５０３はブラック＋イエロー、５０４はブラック＋レッド、５０５はブラック＋グリーン、５０６はブラック＋ブルーで２色カラー出力を行う際に選択する。５０７は設定された２色カラー出力の色味を有効にして次の設定画面に進む「次へ」キーである。５０８は２色カラー出力を中止する「キャンセル」キーである。
【００２８】
図６は、描画オブジェクトの埋没防止機能について、「文字オブジェクト」、および「線オブジェクト」の色を補正する設定を行う操作部の例である。６０１は文字オブジェクトの補正ＯＮ／ＯＦＦを指定するチェックボックス。６０２は文字オブジェクトの補正の強さを指定するスライダー。６０３は線オブジェクトの補正ＯＮ／ＯＦＦを指定するチェックボックス。６０４は線オブジェクトの補正の強さを指定するスライダーで２色カラー出力を行う際に選択する。６０５は前の設定画面に戻る「戻る」キーである。６０６は設定された「文字オブジェクト」、および「線オブジェクト」の埋没防止機能を有効にして２色カラー出力の設定を完了する。
【００２９】
例えば、オペレータがフルカラー原稿をブラックとマゼンタの２色カラー出力を行いたい場合には、図示しない操作画面上から、２色カラー出力を選択し、ブラックとマゼンタ色味設定キー５０２を選択し、次へキー５０７を押す。次いで、描画オブジェクトの埋没防止機能の利用設定を行った後で、ＯＫキー６０６を押すことにより、２色カラー出力機能をセットする。
【００３０】
＜画像形成装置の詳細（図２）＞
図２はリーダー部２００及びプリンタ部３００及び排紙ユニット３３０の断面図である。リーダー部の原稿給送ユニット２５０は原稿を先頭順に１枚ずつプラテンガラス２１１上へ搬送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、制御装置１１０へ転送される。
【００３１】
プリンタ部３００のレーザドライバ３２１はレーザー発光部３２２を駆動するものであり、制御装置１１０から出力された画像データに応じたレーザー光をレーザー発光部３２２に発光させる。このレーザー光は感光ドラム３２３に照射され、感光ドラム３２３にはレーザー光に応じた潜像が形成される。この感光ドラム３２３の潜像の部分には現像器３２４によって現像剤が付着される。そして、レーザー光の照射開始と同期したタイミングで、カセット３１１及びカセット３１２のいずれかから記録紙を給紙して転写部３２５へ搬送し、感光ドラム３２３に付着された現像剤を記録紙に転写する。現像剤の乗った記録紙は定着部３２６に搬送され、定着部３２６の熱と圧力により現像剤は記像紙に定着される。定着部３２６を通過した記録紙は排出ローラ３２７によって排出される。排紙ユニット３３０は、排出された記録紙を指定されたトレイにシフト出力することができる。
【００３２】
また、両面記録が設定されている場合は、排出ローラ３２７のところまで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００３３】
＜制御装置の説明（図３）＞
制御装置１１０の機能を、図３に示す制御装置のブロック図を基に説明する。
【００３４】
メインコントローラ１１１は、主にＣＰＵ１１２と、バスコントローラ１１３、各種Ｉ／Ｆコントローラ回路とから構成される。
【００３５】
ＣＰＵ１１２とバスコントローラ１１３は制御装置１１０全体の動作を制御するものであり、ＣＰＵ１１２はＲＯＭ１１４からＲＯＭ−Ｉ／Ｆ１１５を経由して読み込んだプログラムに基づいて動作する。
【００３６】
また、コンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３７】
ＤＲＡＭ１１６はＤＲＡＭ ―Ｉ／Ｆ１１７によってメインコントローラ１１１と接続されており、ＣＰＵ１１２が動作するためのワークエリアや、画像データを蓄積するための画像メモリとして使用される。
【００３８】
Ｉ／Ｏ制御部１２６には、リーダー部２００、プリンタ部３００の各ＣＰＵと制御コマンドを送受信するための調歩同期シリアル通信コントローラ１２７が２チャンネル装備されている。Ｉ／Ｏ制御部１２６と外部Ｉ／Ｆ回路１４０及び１４５は、Ｉ／Ｏバス１２８によって接続されている。
【００３９】
パネルＩ／Ｆ１３３は、ＬＣＤコントローラ１３２に接続され、操作部１３０上の液晶画面に表示を行うためのＩ／Ｆと、ハードキーやタッチパネルキーの入力を行うためのキー入力Ｉ／Ｆ１３１とから構成される。操作部１３０は液晶表示部と液晶表示部上に張り付けられたタッチパネル入力装置と、複数個のハードキーを有する。タッチパネルまたはハードキーにより入力された信号は前述したパネルＩ／Ｆ１３３を介してＣＰＵ１１２に伝えられ、液晶表示部はパネルＩ／Ｆ１３３から送られてきた画像データを表示するものである。液晶表示部には、本画像形成装置の操作における機能表示や画像データ等を表示する。
【００４０】
Ｅ−ＩＤＥインタフェース１６１は、外部記憶装置を接続するためのものである。このＩ／Ｆを介してハードディスクドライブ１６０が接続され、ハードディスク１６２へ画像データ及び画像データに付属した画像情報を記憶させたり、ハードディスク１６２から画像データを読み込み出力したりすることも可能である。
【００４１】
コネクタ１４２と１４７は、それぞれリーダー部２００とプリンタ部３００とに接続され、同調歩同期シリアルＩ／Ｆ（１４３,１４８）とビデオＩ／Ｆ（１４４,１４９）とから構成される。
【００４２】
スキャナＩ／Ｆ１４０は、コネクタ１４２を介してリーダー部２００と接続され、また、スキャナバス１４１によって入力画像処理ユニット１５０及びメインコントローラ１１１と接続されている。
【００４３】
図８の入力画像処理ユニット１５０のブロック図により、入力画像処理について説明する。
【００４４】
まず、リーダー部２００のＣＣＤセンサで読み取られたデータは、Ａ／Ｄ変換された後にそれぞれ８ビット出力０〜２５５のＲ（レッド），Ｇ（グリーン），Ｂ（ブルー）信号として出力される。８０１は入力マスキング回路でＣＣＤセンサからの輝度信号を補正し、標準輝度信号に変換する。次に、８０２のフィルタ部で、入力信号の空間周波数の補正を行うことで、エッジ処理、平滑化処理を行う。次に、８０３のγ補正部では、画像データに対して濃度レベル補正が行われる。最後に、８０４のトリマス部で、スキャン画像の不要な部分に対してトリミング処理が施される。
【００４５】
スキャナバス１４１からＤＲＡＭ１１６へのデータ転送は、バスコントローラ１１３によって制御される。
【００４６】
プリンタＩ／Ｆ１４５は、コネクタ１４７を介してプリンタ部３００と接続され、また、プリンタバス１４６によって出力画像処理ユニット１５１を介してメインコントローラ１１１と接続される。メインコントローラ１１１から出力された画像データは、出力画像処理ユニット１５１で出力用の画像処理が施され、プリンタ部３００に出力される。プリンタＩ／Ｆ１４５は、プリンタ部３００から送られたビデオ制御信号をもとに生成した制御信号を、プリンタバス１４６に出力する機能も有する。
【００４７】
図４の出力画像処理ユニット１５１のブロック図により、出力画像処理について説明する。
【００４８】
まず、スキャン画像やＰＤＬ画像が画像メモリから読み出されると、４０１の像域処理部で画素毎に８ビットの像域情報が付加される。図７により画像の像域情報について説明する。像域情報は、ビット０が画像の有無を識別するビット。ビット１はイメージオブジェクトであるかを識別するビット。ビット２はグラフィックスオブジェクトであるかを識別するビット。ビット３はラインオブジェクトであるかを識別するビット。ビット４はテキストオブジェクトであるかを識別するビット。ビット５は描画オブジェクトの縁（辺）の部分か、面の部分かを識別するビット。ビット６はスキャン画像であるか、ＰＤＬ画像であるかを識別するビット。ビット７は黒成分以外を含む有彩色であるか、黒成分のみを含む無彩色であるかを識別するビットである。
【００４９】
像域処理部で像域情報が付加された画像は、４０２の下地処理部で画像の下地レベル補正処理が行われる。次に４０３の色調整部で操作部から指定された色相調整、彩度調整及び色空間圧縮等の画像処理が施され、次に４０４のＬＯＧ変換部でルックアップテーブルにより輝度→濃度変換が行われ、ＲＧＢの輝度信号はＹＭＣの濃度信号に変換される。（Ｙ＝イエロー、Ｍ＝マゼンタ、Ｃ＝シアン）。
【００５０】
次に４０５の出力マスキング部で、マトリクス演算が行われる。
【００５１】
このマトリクス演算式の例を図１１に示す。
【００５２】
図１１（ａ）は、フルカラー出力時のマトリクス演算を示している。フルカラー出力時は、ＹＭＣの各色に対して記録材ＹＭＣＢｋの特性に応じた係数が設定され、マトリクス演算することでＹＭＣＢｋ出力される。（Ｙ＝イエロー、Ｍ＝マゼンタ、Ｃ＝シアン、Ｂｋ＝ブラック）。
【００５３】
また、操作部より２色カラー機能が設定されている場合は、図１１（ｂ）のようにＹＭＣＢｋが全て同じデータの単色信号が出力されるような係数で設定され、マトリクス演算処理が行われる。
【００５４】
次に、４０６のγ補正部で指定された濃度に従ってγ処理が行われる。
【００５５】
図１０にγ補正部の処理を説明する。
【００５６】
γ補正部は、操作部にてフルカラー出力が設定されている場合と、２色カラー機能が設定されている場合で、係数及びアトリビュートデコーダの設定が切り替る。
【００５７】
図１０（ａ）は、フルカラー出力時のγ補正部を示している。γ補正部は、文字オブジェクト、及びラインオブジェクト処理用のγ補正部と、イメージオブジェクト、及びグラフィックスオブジェクト処理用のγ補正部の２バンクからなる。γ補正部には像域データが入力され、像域情報のビット１〜４の情報をアトリビュートデコーダが参照する。アトリビュートデコーダは、画像データのうち文字オブジェクト、及びラインオブジェクトの像域情報が設定されている画素はＢａｎｋ１のγ補正部に切り替える。また、イメージオブジェクト、及びグラフィックスオブジェクトの像域情報が設定されている画素はＢａｎｋ２のγ補正部に切り替える。
【００５８】
図１０（ｂ）は、２色カラー出力時のγ補正部を示している。γ補正部は、２色カラーのうち無彩色（ブラック）処理用のγ補正部と、有彩色（ブラック以外。本例ではＭ（マゼンタ））処理用のγ補正部の２バンクからなる。無彩色の画素で利用されるＢａｎｋ１のγ係数ではＢｋ（ブラック）以外の係数が０となるような係数が設定され、Ｂｋ以外の色が出力されない。また、有彩色の画素で利用されるＢａｎｋ２のγ係数ではマゼンタ以外の係数が０となるような係数が設定され、マゼンタ以外の色は出力されない。γ補正部には像域データが入力され、像域情報のビット７と、ビット１〜４の情報をアトリビュートデコーダが参照する。アトリビュートデコーダは、ビット７の有彩色／無彩色のビットと、ビット１〜４の描画オブジェクトの種別情報を参照するような設定がされ、無彩色はＢａｎｋ１に、有彩色はＢａｎｋ２に切り替える。また、２色カラー機能の設定にて埋没防止機能がＯＮに設定されている場合は、文字オブジェクト（６０１がＯＮの時）、及びラインオブジェクト（６０３がＯＮの時）の画素は、補正ＴＢＬにより信号増減処理が行われる。その後で、ＹＭＣの信号はＢａｎｋ２に、Ｂｋの信号はＢａｎｋ１に送られγ補正処理が行われる。
【００５９】
これにより、埋没防止機能がＯＮにされた描画オブジェクトは、有彩色用のトナーと、無彩色用のトナーが混合される。なお、補正ＴＢＬの信号増減処理は、スライダー６０２／６０４の設定値によってＹＭＣとＢｋの増減比率を変更する事が可能に構成されている。例えば、スライダー６０２のつまみが強＋３に設定されている場合は、ＹＭＣ用の補正ＴＢＬは下限のライン、Ｂｋ用の補正ＴＢＬは上限のラインをセットされ、標準設定時よりもＹＭＣの信号は減少し、Ｂｋの信号は増加する。
【００６０】
以上説明したガンマ補正部の処理により、無彩色画素はブラック色で出力、有彩色画素はマゼンタ色で出力される。また、埋没防止機能がＯＮに設定された文字オブジェクト、或いはラインオブジェクトは、ブラック色とマゼンタ色の混合色で出力される。
【００６１】
最後に４０７のトリミング部でプリントの印刷可能領域にあわせてトリミング処理が行われる。
【００６２】
出力画像処理された画像データは、プリンタバス１４６、ビデオＩ／Ｆ１４９を経由して、プリンタ部３００へＤＭＡ転送され、プリンタ部３００で用紙に出力される。
【００６３】
＜コピー印刷（図１２）＞
次に、本実施例に係る画像処理装置で行うコピー印刷処理について、図１２のフローチャートを用いて詳細に説明する。なお、コピー印刷が開始される前には、あらかじめ、フルカラーコピーモードであるか２色カラーコピーであるかが選択される。また、２色カラーコピーであった場合は、図５に示す２色カラー設定画面において、使用する２色の色味が選択される。さらに、図６に示す埋没防止機能による補正のＯＮ／ＯＦＦと、埋没防止機能の強弱が、選択され、設定されているものとする。
【００６４】
ステップ１２０１で、ユーザにより、操作部１３０のディスプレイ上に表示されたコピー操作画面内のスタートキーが押下されると、コピー印刷処理が開始される。
【００６５】
ステップ１２０２で、ＣＰＵ１１２はリーダー装置２００にセットされた原稿の読み取りを指示し、リーダー装置２００は原稿を読み取る。読み取りにより得られた画像データは、入力画像処理ユニット１５０に送信される。
【００６６】
ステップ１２０３で、ＣＰＵ１１２は入力画像処理ユニット１５０に画像データの補正処理を指示し、入力画像処理ユニット１５０は画像データに対して輝度信号の補正、空間周波数の補正、濃度レベル補正、トリミング処理を行う。入力画像処理が施された画像データは、出力画像処理ユニット１５１に送信される。
【００６７】
ステップ１２０４で、ＣＰＵ１１２は出力画像処理ユニット１５１に画像データの補正処理を指示し、出力画像処理ユニット１５１は入力された画像データに対してプリンタ装置３００で印刷できる形式にする為の各種処理を行う。出力画像処理が施された画像データは、プリンタ装置３００に送信される。出力画像処理ユニット１５１の詳細は後述する。
【００６８】
ステップ１２０５で、プリンタ装置３００は、受信した画像データを用紙上に形成する処理を実行する。
【００６９】
＜出力画像処理（図１３）＞
次に、本実施例に係る出力画像処理ユニットで行う出力画像処理について、図１３のフローチャートを用いて詳細に説明する。
【００７０】
ステップ１３０１で、出力画像処理ユニット１５１は像域処理部に入力された画像データの像域情報の解析を指示し、像域処理部は画像データを解析し画素毎に８ビットの像域情報を付加する。像域情報が付加された画像データは、下地処理部に送信される。
【００７１】
ステップ１３０２で、出力画像処理ユニット１５１は下地処理部に入力された画像データの下地レベルの補正を指示し、下地処理部は画像データを解析し下地レベルの補正処理を行う。下地レベルの補正処理が行われた画像データは、色調整処理部に送信される。
【００７２】
ステップ１３０３で、出力画像処理ユニット１５１は色調整処理部に入力された画像データの色調整を指示し、色調整処理部は操作部１３０から指定された設定に基づいて色調整処理を行う。色調整処理が行われた画像データは、ＬＯＧ変換部に送信される。
【００７３】
ステップ１３０４で、出力画像処理ユニット１５１はＬＯＧ変換処理部に入力された画像データのＬＯＧ変換処理を指示し、ＬＯＧ変換処理部はルックアップテーブルにより輝度→濃度変換を行う。濃度変換が行われた画像データは、出力マスキング部に送信される。
【００７４】
ステップ１３０５で、出力画像処理ユニット１５１は操作部１３０で選択されたコピーモードの設定内容を確認する。「フルカラーコピー」に設定されている場合はステップ１３０６に進み、「２色カラーコピー」に設定されている場合はステップ１３０８に進む。
【００７５】
ステップ１３０６で、出力画像処理ユニット１５１は出力マスキング部に入力された画像データのマスキング処理を指示し、出力マスキング部は記録材の特性係数を用いて、ＹＭＣ形式からＹＭＣＢｋ形式にマトリクス演算による変換を行う。ＹＭＣＢｋ形式に変換された画像データは、γ補正部に送信される。
【００７６】
ステップ１３０７で、出力画像処理ユニット１５１はγ補正部に入力された画像データのγ補正処理を指示し、γ補正部は画像データに付加されている属性情報を用いて、画素毎にフルカラー用のγ補正処理を行う。フルカラー用のγ補正処理が行われた画像データは、トリミング部に送信される。γ補正部のフルカラー用処理の詳細は後述する。
【００７７】
ステップ１３０８で、出力画像処理ユニット１５１は出力マスキング部に入力された画像データのマスキング処理を指示し、出力マスキング部は単色信号となる係数を用いて、ＹＭＣ形式からＹＭＣＢｋ形式にマトリクス演算による変換を行う。ＹＭＣＢｋ形式に変換された画像データは、γ補正部に送信される。
【００７８】
ステップ１３０９で、出力画像処理ユニット１５１はγ補正部に入力された画像データのγ補正処理を指示し、γ補正部は画像データに付加されている属性情報を用いて、画素毎に２色カラー用のγ補正処理を行う。２色カラー用のγ補正処理が行われた画像データは、トリミング部に送信される。γ補正部の２色カラー用の処理の詳細は後述する。
【００７９】
ステップ１３１０で、出力画像処理ユニット１５１はトリミング部に入力された画像データのトリミング処理を指示し、トリミング部はプリントの印字可能領域にあわせて画像データのトリミングを行い、出力画像処理を終了する。
【００８０】
＜フルカラー用γ補正処理（図１４）＞
次に、本実施例に係る出力画像処理ユニットのγ補正部で行うフルカラー用のγ補正処理について、図１４のフローチャートを用いて詳細に説明する。
【００８１】
ステップ１４０１で、出力画像処理ユニット１５１はγ補正部４０６にフルカラー用のγ補正係数の設定を指示し、γ補正部はフルカラー用のγ補正係数とアトリビュートデコーダの設定を行う。γ補正係数は、属性データ毎にＢａｎｋ１とＢａｎｋ２に最適な係数が設定される。
【００８２】
ステップ１４０２で、出力画像処理ユニット１５１は画像データに付加されている属性情報のＢｉｔ１〜４の内容を確認する。属性情報の内容が、文字属性（Ｂｉｔ４＝ＯＮ）、又はライン属性（Ｂｉｔ３＝ＯＮ）に設定されている場合はステップ１４０３に進む。イメージ属性（Ｂｉｔ１＝ＯＮ）、又はグラフィックス属性（Ｂｉｔ２＝ＯＮ）に設定されている場合はステップ１４０４に進む。
【００８３】
ステップ１４０３で、出力画像処理ユニット１５１はγ補正部に入力された画像データのγ補正処理を指示し、γ補正部はＢａｎｋ１を使用してγ補正を行う。
【００８４】
ステップ１４０４で、出力画像処理ユニット１５１はγ補正部に入力された画像データのγ補正処理を指示し、γ補正部はＢａｎｋ２を使用してγ補正を行う。
【００８５】
以上によりフルカラー用のγ補正処理を終了する。
【００８６】
＜２色カラー用γ補正処理（図１５）＞
次に、本実施例に係る出力画像処理ユニットのγ補正部で行う２色カラー用のγ補正処理について、図１５のフローチャートを用いて詳細に説明する。
【００８７】
ステップ１５０１で、出力画像処理ユニット１５１はγ補正部４０６に２色カラー用のγ補正係数の設定を指示し、γ補正部は２色カラー用のγ補正係数とアトリビュートデコーダの設定を行う。このときγ補正係数は、属性データ毎にＢａｎｋ１とＢａｎｋ２に最適な係数が設定される。
【００８８】
ステップ１５０２で、出力画像処理ユニット１５１は画像データに付加されている属性情報のＢｉｔ７の内容を確認する。属性情報の内容が、無彩色（Ｂｉｔ７＝ＯＦＦ）に設定されている場合はステップ１５０３に進み、有彩色（Ｂｉｔ７＝ＯＮ）に設定されている場合はステップ１５０４に進む。
【００８９】
ステップ１５０３で、出力画像処理ユニット１５１はγ補正部に入力された画像データのγ補正処理を指示し、γ補正部はＢａｎｋ１を使用してγ補正を行う。
【００９０】
ステップ１５０４で、出力画像処理ユニット１５１は画像データに付加されている属性情報のＢｉｔ１〜４の内容を確認する。属性情報の内容が、文字属性（Ｂｉｔ４＝ＯＮ）、又はライン属性（Ｂｉｔ３＝ＯＮ）に設定されている場合はステップ１５０５に進む。イメージ属性（Ｂｉｔ１＝ＯＮ）、又はグラフィックス属性（Ｂｉｔ２＝ＯＮ）に設定されている場合はステップ１５０８に進む。
【００９１】
ステップ１５０５で、出力画像処理ユニット１５１は、操作部１３０で選択された埋没防止機能の設定内容を確認する。このとき、属性情報の文字属性（Ｂｉｔ４＝ＯＮ）の時は、文字オブジェクトのチェックボックス６０１のＯＮ／ＯＦＦ設定を確認し、属性情報のライン属性（Ｂｉｔ３＝ＯＮ）の時は、線オブジェクトのチェックボックス６０３のＯＮ／ＯＦＦ設定を確認する。確認した結果が、「ＯＮ」に設定されている場合は、埋没防止用の補正ＴＢＬのパラメータをセットしてステップ１５０６に進み、「ＯＦＦ」に設定されている場合はステップ１５０８に進む。埋没防止用の補正ＴＢＬにセットするパラメータは、属性情報の文字属性（Ｂｉｔ４＝ＯＮ）の時は、文字オブジェクトのスライダー６０２の強弱設定を参照してセットする。属性情報のライン属性（Ｂｉｔ３＝ＯＮ）の時は、線オブジェクトのスライダー６０３の強弱設定を参照してセットする。
【００９２】
ステップ１５０６で、出力画像処理ユニット１５１は、補正部４０６に画像データの補正処理を指示し、γ補正部は補正ＴＢＬを用いて画像データの信号値を補正する。
【００９３】
ステップ１５０７で、出力画像処理ユニット１５１は、画像データの色チャネル毎にＢａｎｋ１と、Ｂａｎｋ２を振り分ける。Ｂｋチャネルの場合はステップ１５０３に進み、Ｙ、Ｍ、Ｃのチャネルの場合はステップ１５０８に進む。
【００９４】
ステップ１５０８で、出力画像処理ユニット１５１はγ補正部に入力された画像データのγ補正処理を指示し、γ補正部はＢａｎｋ２を使用してγ補正を行う。
【００９５】
以上により２色カラー用のγ補正処理を終了する。
【００９６】
以上により、フルカラー原稿を２色カラーコピーする場合であっても、文字オブジェクトやラインオブジェクトが背景の描画オブジェクトと同じ色で印字される事の無い２色カラーコピー印刷を得ることができる。
【符号の説明】
【００９７】
１００  画像形成装置
２００  リーダー装置（リーダー部）
【図１】
2013121090.tif 000003
【図２】
2013121090.tif 000004
【図３】
2013121090.tif 000005
【図４】
2013121090.tif 000006
【図５】
2013121090.tif 000007
【図６】
2013121090.tif 000008
【図７】
2013121090.tif 000009
【図８】
2013121090.tif 000010
【図９】
2013121090.tif 000011
【図１０（ａ）】
2013121090.tif 000012
【図１０（ｂ）】
2013121090.tif 000013
【図１１】
2013121090.tif 000014
【図１２】
2013121090.tif 000015
【図１３】
2013121090.tif 000016
【図１４】
2013121090.tif 000017
【図１５】
2013121090.tif 000018